(57)【要約】【課題】電気機器への情報の入力を行う際、作業者の熟練度に関わることなく、的確な情報の入力が可能で、かつ、作業者の作業負担を軽減することができる電気機器部材、電気機器及び電気機器システムを提供する。【解決手段】前記電気機器を構成し、その交換の際、該電気機器への所定の情報の入力が行われる電気機器部材において、前記情報が記録された記録媒体を該交換可能部材に付随させることにより、該記録媒体の情報を用いた情報の入力が可能となる。【選択図】図４
2016090669.tif 000002
【特許請求の範囲】
【請求項１】
電気機器を構成し、その交換の際、該電気機器への所定の情報の入力が行われる電気機器部材において、
前記情報が記録された記録媒体が付随していることを特徴とする電気機器部材。
【請求項２】
前記記録媒体には、前記電気機器との適合性に係る適合情報が記録されていることを特徴とする請求項１に記載の電気機器部材。
【請求項３】
前記記録媒体には、前記情報が記憶されたウェブサーバー上のＵＲＬが記録されていることを特徴とする請求項１又は２に記載の電気機器部材。
【請求項４】
前記記録媒体には、前記電気機器の使用環境に対応して複数情報が記録されていることを特徴とする請求項１から３の何れかに記載の電気機器部材。
【請求項５】
前記情報は、１次元バーコード又は２次元コードにて表示されていることを特徴とする請求項１から４の何れかに記載の電気機器部材。
【請求項６】
自機器を構成する電気機器部材を交換する際、所定の情報の入力を受け付ける電気機器において、
前記情報が記録された記録媒体が前記電気機器部材に付随しており、
該電気機器部材の交換の際、前記記録媒体から前記情報を取得する取得部を備えることを特徴とする電気機器。
【請求項７】
前記記録媒体には、前記電気機器部材と自機器との適合性に係る適合情報が記録されており、
前記電気機器部材の交換の際、前記適合情報に基づいて適合の判定を行う判定手段と、
前記判定の結果を表示する表示部と
を備えることを特徴とする請求項６に記載の電気機器。
【請求項８】
前記記録媒体には、前記情報が記憶されたウェブサーバー上のＵＲＬが記録されており、
前記ＵＲＬに基づいて前記情報を取得する情報取得手段を備えることを特徴とする請求項６又は７に記載の電気機器。
【請求項９】
請求項１から５の何れかに記載の電気機器部材と、
該電気機器部材に付随する記録媒体から前記情報を取得する取得部を有する電気機器とを備えることを特徴とする電気機器システム。
【発明の詳細な説明】
【技術分野】
【０００１】
本発明は、その交換の際、所定の情報の入力が行われる電気機器部材、該電気機器部材を備える電気機器、並びに、前記電気機器部材及び電気機器を含む電気機器システムに関する。
【背景技術】
【０００２】
従来の電気機器の部品交換の作業においては、交換しようとする部品が相手装置に適合しているかをサービスマンが目視で確認し、交換後に該部品のパフォーマンスを実現するために、相手装置に各種設定値を手入力で行っていた。更に、各種設定値の変更が必要になった際にも、サービスマンが一台一台手作業で設定値の入力を行っていた。
【０００３】
そのため、適切でない部品に交換され、交換に伴う設定値の入力を間違い、又は、設定値の入力に長時間を要するといった課題があった。
【０００４】
これに対して、特許文献１においては、調整作業を必要とする交換部品が交換された場合に、過去に交換部品の交換に伴って調整された適正な調整値履歴情報に基づいて調整値の初期値を決定する画像形成装置について開示されている。
【先行技術文献】
【特許文献】
【０００５】
【特許文献１】特開２０１２−２５２１０６号公報
【発明の概要】
【発明が解決しようとする課題】
【０００６】
しかしながら、特許文献１に係る画像形成装置では、既に複合機に保存している調整値を用いるため、バージョンアップした部品に交換されたような場合は対応できず、このような場合はサービスマンが手入力で設定値を入力するため誤入力の蓋然性が依然として残っている。
【０００７】
本発明は、斯かる事情に鑑みてなされたものであり、その目的とするところは、電気機器を構成し、その交換の際、該電気機器への所定の情報の入力が行われる電気機器部材において、前記情報が記録された記録媒体を該電気機器部材に付随させることにより、該記録媒体の情報を用いた情報の入力が可能となり、情報の入力を行う作業者の熟練度に関わることなく、的確な情報の入力が可能で、かつ、作業者の作業負担を軽減することができる電気機器部材、電気機器及び電気機器システムを提供することにある。
【課題を解決するための手段】
【０００８】
本発明に係る電気機器部材は、電気機器を構成し、その交換の際、該電気機器への所定の情報の入力が行われる電気機器部材において、前記情報が記録された記録媒体が付随していることを特徴とする。
【０００９】
本発明に係る電気機器部材は、前記記録媒体には、前記電気機器との適合性に係る適合情報が記録されていることを特徴とする。
【００１０】
本発明に係る電気機器部材は、前記記録媒体には、前記情報が記憶されたウェブサーバー上のＵＲＬが記録されていることを特徴とする。
【００１１】
本発明に係る電気機器部材は、前記記録媒体には、前記電気機器の使用環境に対応して複数情報が記録されていることを特徴とする。
【００１２】
本発明に係る電気機器部材は、前記情報は、１次元バーコード又は２次元コードにて表示されていることを特徴とする。
【００１３】
本発明に係る電気機器は、自機器を構成する電気機器部材を交換する際、所定の情報の入力を受け付ける電気機器において、前記情報が記録された記録媒体が前記電気機器部材に付随しており、該電気機器部材の交換の際、前記記録媒体から前記情報を取得する取得部を備えることを特徴とする。
【００１４】
本発明に係る電気機器は、前記記録媒体には、前記電気機器部材と自機器との適合性に係る適合情報が記録されており、前記電気機器部材の交換の際、前記適合情報に基づいて適合の判定を行う判定手段と、前記判定の結果を表示する表示部とを備えることを特徴とする。
【００１５】
本発明に係る電気機器は、前記記録媒体には、前記情報が記憶されたウェブサーバー上のＵＲＬが記録されており、前記ＵＲＬに基づいて前記情報を取得する情報取得手段を備えることを特徴とする。
【００１６】
本発明に係る電気機器システムは、前述の発明の何れか一つに記載の電気機器部材と、該電気機器部材に付随する記録媒体から前記情報を取得する取得部を有する電気機器とを備えることを特徴とする。
【発明の効果】
【００１７】
本発明によれば、前記電気機器への情報の入力を行う際、作業者の熟練度に関わることなく、的確な情報の入力が可能で、かつ、作業者の作業負担を軽減することができる。
【図面の簡単な説明】
【００１８】
【図１】本発明の実施の形態１に係る複合機の要部構成を示す構成図である。
【図２】本発明の実施の形態１に係る複合機の要部構成を示す機能ブロック図である。
【図３】本発明の実施の形態１に係る複合機の制御部の要部構成を示す機能ブロック図である。
【図４】本発明の実施の形態１に係る複合機において、交換可能部材の交換の際に行われる入力情報の取得を説明するフローチャートである。
【図５】本発明の実施の形態２に係る複合機において、交換可能部材の交換の際に行われる入力情報の取得を説明するフローチャートである。
【図６】本発明の実施の形態３に係る複合機において、交換可能部材の交換の際に行われる入力情報の取得を説明するフローチャートである。
【発明を実施するための形態】
【００１９】
以下に、本発明の実施の形態に係る電気機器部材、電気機器及び電気機器システムを、いわゆるタッチパネルの機能を有する複合機に適用した場合を例として、図面に基づいて詳述する。
【００２０】
（実施の形態１）
【００２１】
図１は本発明の実施の形態１に係る複合機１００の要部構成を示す構成図である。          
【００２２】
複合機１００は、上部側から、操作パネル（図示せず）を有する原稿台１１１、画像読取部２及び画像形成部４を備えている。原稿台１１１の上面には、この原稿台１１１に対して開閉可能に支持され、原稿台１１１面に対して所定の位置関係を有する両面自動原稿送り装置１１２が装着されている。
【００２３】
両面自動原稿送り装置１１２は、読取待ちトレイ１１２ａ上の原稿を１枚ずつ原稿台１１１の所定位置に搬送し、画像読取部２が対向する原稿の一方の面を読み取った後、スイッチバック搬送経路（図示せず）を介して、この原稿を表裏反転させて再度原稿台１１１の所定位置に搬送する。画像読取部２が他方の面を読み取った後、当該原稿を読取済みトレイ１１２ｂ上に排出し、次の原稿を読取待ちトレイ１１２ａから搬送する。画像読取部２は、両面自動原稿送り装置１１２による原稿の搬送に従い、順次各原稿について両面の画像を読み取る。
【００２４】
原稿台１１１の下側には画像読取部２が設けてあり、画像読取部２は、両面自動原稿送り装置１１２により原稿台１１１上へ搬送されてきた原稿の画像を読み取るために、原稿台１１１の下面に沿って往復移動する第１走査ユニット１１３，第２走査ユニット１１４、光学レンズ１１５及びＣＣＤラインセンサ１１６を備えている。
【００２５】
第１走査ユニット１１３は原稿画像表面を露光する露光ランプ１１３１と、原稿からの反射光像を所定の方向へ向けて反射する第１ミラー１１３２とを有し、原稿台１１１の下面に対して一定の距離を保ちながら所定の走査速度で往復移動を行う。第２走査ユニット１１４は、第１走査ユニット１１３の第１ミラー１１３２により反射された原稿からの反射光像を更に所定の方向へ向けて反射する第２ミラー１１４１，第３ミラー１１４２を有し、第１走査ユニット１１３と一定の速度関係を保って往復移動を行う。
【００２６】
第１走査ユニット１１３及び第２走査ユニット１１４が行う往復運動の折返位置近傍には、光学レンズ１１５及びＣＣＤラインセンサ１１６が備えている。光学レンズ１１５は、第２走査ユニット１１４の第３ミラー１１４２により反射された原稿からの反射光像を縮小し、縮小された光像をＣＣＤラインセンサ１１６上の所定位置に結像させる。
【００２７】
また、ＣＣＤラインセンサ１１６は、光学レンズ１１５により結像された光像を順次光電変換して電気信号として出力するものであり、白黒画像又はカラー画像を読み取り、Ｒ（赤），Ｇ（緑），Ｂ（青）の各色成分に色分解したラインデータを出力する３ラインのカラーＣＣＤである。ＣＣＤラインセンサ１１６により電気信号に変換された原稿画像情報は、画像処理部（図示せず）へ転送されて所定の画像データ処理が施される。
【００２８】
画像読取部２の下側には画像形成部４が備えてあり、この画像形成部４の内部下側には、用紙トレイＴ及び該用紙トレイＴ内に積載収容されている用紙Ｐを１枚ずつ分離して用紙搬送路へ向けて供給する給紙機構１１が設けられている。
【００２９】
給紙機構１１の上側には転写搬送ベルト機構１３が設けてあり、この転写搬送ベルト機構１３は、駆動ローラ１４と従動ローラ１５との間に略平行に伸びるように張架された転写搬送ベルト１６に用紙Ｐを静電吸着させて搬送する構成となっている。１枚ずつ分離供給された用紙Ｐは、転写搬送ベルト１６の上流側に配置された一対のレジストローラ１２によりタイミングを制御されて転写搬送ベルト１６により搬送される。また、片面に画像が形成された用紙Ｐは、画像形成部４における画像形成処理にタイミングを合わせて転写搬送ベルト１６により再度搬送される。
【００３０】
前記用紙搬送路における転写搬送ベルト１６の下流側には、用紙Ｐ上に転写形成されたトナー像を定着させるための定着ユニット４１が配置されている。定着ユニット４１の一対の定着ローラ間におけるニップ部を通過した用紙Ｐは、搬送方向切り換えゲート１８を経て、排出ローラ１９により複合機１００の外壁に取り付けられている排紙トレイ（図示せず）上へ排出される。
【００３１】
搬送方向切り換えゲート１８は、定着後の用紙Ｐの搬送経路を、用紙Ｐを前記排出トレイ上へ排出する経路と、転写搬送ベルト機構１３により用紙Ｐを再供給する経路との間で選択的に切り換えるものである。搬送方向切り換えゲート１８により再び転写搬送ベルト機構１３に向けて搬送方向が切り換えられた用紙Ｐは、スイッチバック搬送経路２１を介して表裏反転された後、転写搬送ベルト１６により再度供給される。
【００３２】
転写搬送ベルト１６の上側には、黒色，シアン色，マゼンタ色，イエロー色の色別に第１の画像形成ステーションＰａ，第２の画像形成ステーションＰｂ，第３の画像形成ステーションＰｃ，第４の画像形成ステーションＰｄが、転写搬送ベルト１６に近接して、前記用紙搬送経路の上流側から順に並設されている。転写搬送ベルト１６は駆動ローラ１４によって、図１の矢符Ｚで示す方向へ摩擦駆動され、給紙機構１１を通じて給送される用紙Ｐを担持し、用紙Ｐを画像形成ステーション（現像部）Ｐａ〜Ｐｄへと順次搬送する。
【００３３】
画像形成ステーションＰａ，Ｐｂ，Ｐｃ，Ｐｄは、実質的に同一の構成をなしており、図１の矢符Ｆ方向に回転駆動される感光体ドラム２２ａ，２２ｂ，２２ｃ，２２ｄを夫々有している。各感光体ドラム２２ａ〜２２ｄの周辺には、感光体ドラム２２ａ〜２２ｄを夫々一様に帯電する帯電器２３ａ，２３ｂ，２３ｃ，２３ｄ、感光体ドラム２２ａ〜２２ｄ上に形成された静電潜像にトナーを付着させて夫々現像する現像ローラ３４ａ，３４ｂ，３４ｃ，３４ｄを備えた現像装置２４ａ，２４ｂ，２４ｃ，２４ｄが配置されている。
【００３４】
更に、現像された感光体ドラム２２ａ〜２２ｄ上のトナー像を用紙Ｐへ転写する転写用放電器２５ａ，２５ｂ，２５ｃ，２５ｄ及び感光体ドラム２２ａ〜２２ｄ上に残留するトナーを除去するクリーニング装置２６ａ，２６ｂ，２６ｃ，２６ｄが、感光体ドラム２２ａ〜２２ｄの回転方向に沿って夫々配置されている。
【００３５】
各感光体ドラム２２ａ〜２２ｄの上側には、レーザビームスキャナユニット２７ａ，２７ｂ，２７ｃ，２７ｄが夫々設けられている。レーザビームスキャナユニット２７ａ〜２７ｄは、形成すべき画像データに基づいてドット光を発する半導体レーザ素子（図示せず）、該半導体レーザ素子からのレーザビームを主走査方向へ反射させるためのポリゴンミラー５０、ポリゴンミラー５０により反射されたレーザビームを対応する感光体ドラム２２ａ〜２２ｄの表面に結像させるためのｆθレンズ５１及びミラー５２，５３等を各々有している。
【００３６】
レーザビームスキャナユニット２７ａ，２７ｂ，２７ｃ，２７ｄには、カラー原稿画像における、黒色成分像に対応する画素信号、シアン色成分像に対応する画素信号、マゼンタ色成分像に対応する画素信号が、イエロー色成分像に対応する画素信号が夫々入力される。
【００３７】
このようなレーザビームスキャナユニット２７ａ〜２７ｄの夫々に対応する色成分像により、色変換された原稿画像情報に対応する静電潜像が各感光体ドラム２２ａ〜２２ｄ上に形成される。また、現像装置２４ａ，２４ｂ，２４ｃ，２４ｄには、各々トナーカートリッジ３０５が着脱可能に設けられている。
【００３８】
より詳しくは、現像装置２４ａには黒色のトナーを収容したトナーカートリッジ３０５ａが設けられている。現像装置２４ｂにはシアン色のトナーを収容したトナーカートリッジ３０５ｂが設けられている。現像装置２４ｃにはマゼンタ色のトナーを収容したトナーカートリッジ３０５ｃが設けられている。また、現像装置２４ｄにはイエロー色のトナーを収容したトナーカートリッジ３０５ｄが設けられている。感光体ドラム２２ａ〜２２ｄ上の静電潜像は、これら各色のトナーカートリッジのトナーにより現像される。
【００３９】
第１の画像形成ステーションＰａと給紙機構１１との間にはブラシ帯電器である用紙吸着用帯電器２８が設けられている。用紙吸着用帯電器２８は、転写担持体である転写搬送ベルト１６の表面を帯電させ、これにより給紙機構１１から供給された用紙Ｐは、転写搬送ベルト１６上に確実に吸着された状態で第１の画像形成ステーションＰａから第４の画像形成ステーションＰｄまでの間をずれることなく搬送される。また、第４の画像形成ステーションＰｄと定着ユニット４１との間で駆動ローラ１４の略真上の部分には除電用放電器２９が設けられている。除電用放電器２９には転写搬送ベルト１６に静電吸着されている用紙Ｐを転写搬送ベルト１６から分離するための交流電流が印加されている。
【００４０】
上述のような構成のデジタル複合機では、カットシート状の用紙Ｐが使用され、この用紙Ｐが、用紙トレイＴから送り出されて給紙機構１１の給紙搬送経路のガイド内に供給されると、その先端部分がセンサ（図示せず）により検出され、このセンサから出力される検知信号に基づいて一対のレジストローラ１２により一旦停止する。また用紙Ｐは、各画像形成ステーションＰａ〜Ｐｄとのタイミングを調整して図１の矢符Ｚが示す方向に回転している転写搬送ベルト１６上へ送られ、用紙吸着用帯電器２８により所定の帯電が施された転写搬送ベルト１６により、各画像形成ステーションＰａ〜Ｐｄを通過する間、安定して搬送供給される。
【００４１】
各画像形成ステーションＰａ〜Ｐｄにおいては、各色のトナー像が夫々形成され、転写搬送ベルト１６により静電吸着されて搬送される用紙Ｐの支持面上で重ね合わされ、第４の画像形成ステーションＰｄによる画像の転写が完了すると、用紙Ｐは、その先端部分から順次、除電用放電器２９により転写搬送ベルト１６上から剥離され、定着ユニット４１へと導かれる。トナー画像が定着された用紙Ｐは、用紙排出口（図示せず）から排紙トレイ（図示せず）上へ排出される。
【００４２】
図２は本発明の実施の形態１に係る複合機１００の要部構成を示す機能ブロック図である。複合機１００は、制御部１０と、画像読取部２と、画像処理部３と、画像形成部４と、送受信部５と、操作パネル６と、表示部７と、記憶部８とを備えている。
【００４３】
記憶部８は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００４４】
表示部７は、例えば、ＬＣＤ又はＥＬ（Electroluminescence）パネル等からなり、画像形成部４を介して、所定の記録シートへ印刷すべき画像が表示される。また、表示部７は、複合機１００の状態、ジョブ処理の状況、画像読取部２が読み取った原稿の画像及び操作パネル６の操作内容の確認等、利用者に対して通報すべき情報を表示する。例えば、表示部７は、後述する付加情報又は設定情報の確認を促す旨のメッセージを表示してユーザに通報する。
【００４５】
画像読取部２は、読み取り用の原稿に光を照射する光源、ＣＣＤ（Charge Coupled Device）のようなイメージセンサ等を有し、該原稿の画像データの光学的読み取りを行なう。また、画像読取部２では、所定の読取り位置に載置された原稿からの反射光像を当該イメージセンサに結像させ、ＲＧＢ（R : Red, G : Green, B : Blue）のアナログデータを出力する。
【００４６】
画像処理部３は、例えば、画像読取部２から入力されるアナログデータを基にデジタル形式の画像データを生成し、又は記憶部８に記憶されている画像データを読み出し、夫々の画像の種類に応じた処理を施した後、印刷すべき印刷データを生成する。画像処理部３によって生成された印刷データは、画像形成部４に出力される。
【００４７】
画像形成部４は、画像処理部３から出力される画像データに基づく画像を記録用紙、ＯＨＰフィルム等の記録シート上に印刷する。画像形成部４は、感光体ドラム２２ａ〜２２ｄ、帯電器２３ａ〜２３ｄ、レーザビームスキャナユニット２７ａ〜２７ｄ、現像装置２４ａ〜２４ｄ、定着ユニット４１等を備えており、例えば、電子写真方式にて画像を記録シート上に出力する。
【００４８】
また、操作パネル６は、複合機１００における「ファクシミリ」、「複写」、「印刷」、「メール」等の機能を切り替える機能ボタン、テンキー、スタートキー、キャンセルキー、受け付けた指示を確定するためのエンターキー、画像読取部２を介して読み取った原稿の画像をシート状の記録シート上に画像形成するための「出力」キー等を備えている。
【００４９】
送受信部５は、外部に原稿の画像データを送信するネットワークカード、モデム等を備えている。例えば、送受信部５はＩ／Ｆ（図示せず）を介してウェブサーバー上の所定のサイトにアクセスする。
【００５０】
定着ユニット４１、感光体ドラム２２ａ〜２２ｄ、トナーカートリッジ３０５ａ〜３０５ｄ等は必要に応じて交換することができる。以下、このように交換可能な部材を交換可能部材（電気機器部材）という。
【００５１】
図３は本発明の実施の形態１に係る複合機１００の制御部１０の要部構成を示す機能ブロック図である。制御部１０は、ＣＰＵ１０１と、ＲＯＭ１０２と、ＲＡＭ１０３と、判定部１０４と、情報取得部１０５とを備えている。
【００５２】
ＲＯＭ１０２には各種の制御プログラム、演算用のパラメータのうちの基本的に固定のデータ等が予め格納されており、ＲＡＭ１０３はデータを一時的に記憶し、記憶順、記憶位置等に関係なく読み出すことが可能である。また、ＲＡＭ１０３は、例えば、ＲＯＭ１０２から読み出されたプログラム、該プログラムを実行することにより発生する各種データ、該実行の際適宜変化するパラメータ等を記憶する。
【００５３】
ＣＰＵ１０１は、ＲＯＭ１０２に予め格納されている制御プログラムをＲＡＭ１０３上にロードして実行することによって、上述した各種ハードウェアの制御を行ない、装置全体を本発明の複合機１００として動作させる。  
【００５４】
判定部１０４は、前記交換可能部材の交換が行われる場合、後述する記録媒体に含まれた適合情報に基づいて、該交換可能部材と、複合機１００とが適合するか、換言すれば正しい部品が使用されているかの判定を行う。
【００５５】
情報取得部１０５は、前記記録媒体に含まれたＵＲＬに基づいて、ウェブサーバー上のサイトから所定の情報を取得する。
【００５６】
このような構成を有する本発明の複合機１００においては、上述したように、サービスマンによる部品交換において、正しい情報入力が行われない問題等を解決できる。
【００５７】
以下、特許請求の範囲に記載の電気機器及び電気機器部材が各々複合機１００及び定着ユニット４１である場合を例として説明する。
【００５８】
定着ユニット４１の外側には１次元バーコード又は２次元コードが表示された記録媒体が付されている。例えば、前記記録媒体はラベルであり、前記１次元バーコード又は２次元コードには、定着ユニット４１を交換する際、複合機１００に入力すべき情報（以下、入力情報という。）が暗号化されて記録されている。
【００５９】
前記入力情報とは、定着温度、ファーム制御等に係る情報を含む。また、前記記録媒体はラベルに限るものではないことは言うまでもなく、定着ユニット４１の外側に付着されなくても、定着ユニット４１の包装に付着されるなど、定着ユニット４１に付随していれば良い。
【００６０】
また、前記２次元コードには、２次元バーコード及びＱＲ（Ｑｕｉｃｋ  Ｒｅｓｐｏｎｃｅ）コードが含まれる。前記入力情報は１次元バーコード又は２次元コードに限るものでなく、画像読取部２によって読取できる状態であれば良い。
【００６１】
定着ユニット４１が交換された場合、サービスマンはこれら情報を、例えば、操作パネル６を介して入力して定着ユニット４１に係る設定値を変更する作業が必要である。しかし、本発明の複合機１００においては、このような記録媒体の１次元バーコード又は２次元コードから斯かる入力情報を取得することにより、上述した問題を解決する。
【００６２】
図４は本発明の実施の形態１に係る複合機１００において、交換可能部材の交換の際に行われる入力情報の取得を説明するフローチャートである。説明の便宜上、上述したように、前記ラベルが付随している定着ユニット４１をサービスマンが交換する場合を例として説明する。
【００６３】
例えば、複合機１００は定着ユニット４１の着脱を検知する着脱センサを備えており、ＣＰＵ１０１は該着脱センサの検知結果に基づいて定着ユニット４１の交換を検知することができる。
【００６４】
サービスマンが定着ユニット４１の交換を行った場合、ＣＰＵ１０１は該着脱センサの検知結果に基づいて定着ユニット４１が交換されたことを検知する（ステップＳ１０１）。この際、ＣＰＵ１０１が前記記録媒体（ラベル）の読み込みを促す表示を表示部７に行わせるように構成しても良い。
【００６５】
サービスマンが画像読取部２の原稿台１１１に前記記録媒体を載置しておき、操作パネル６を適宜操作して、該記録媒体の読み取りを指示する。
【００６６】
ＣＰＵ１０１は操作パネル６を介して斯かる指示を受け付け、画像読取部２に前記記録媒体の読み取りを指示する。画像読取部２はＣＰＵ１０１の指示に応じて前記記録媒体を読み取る（ステップＳ１０２）。
【００６７】
次いで、ＣＰＵ１０１は読み取られた入力情報の表示を表示部７に指示する。ＣＰＵ１０１の指示に応じて表示部７は読み取られた入力情報を表示する（ステップＳ１０３）。この際、表示部７は読み取られた入力情報に沿った設定値の入力について許可を促す旨の表示を行う。例えば、表示部７は「ＹＥＳ」及び「ＮＯ」のソフトキーを表示する。
【００６８】
ＣＰＵ１０１は、何れのソフトキーが操作されるか監視することにより、サービスマンの許可の有無を判定する（ステップＳ１０４）。
【００６９】
「ＹＥＳ」のソフトキーが操作された場合、ＣＰＵ１０１は、読み取られた入力情報に沿った設定値の入力について許可されたものと判定する（ステップＳ１０４：ＹＥＳ）。この際、ＣＰＵ１０１は読み取られた入力情報に沿った設定値を入力して既存の設定値を変更し、設定値が変更された旨の通知を表示部７を介して行う（ステップＳ１０５）。
【００７０】
一方、「ＮＯ」のソフトキーが操作された場合、ＣＰＵ１０１は、読み取られた入力情報に沿った設定値の入力について許可されなかったものと判定する（ステップＳ１０４：ＮＯ）。この際、ＣＰＵ１０１は設定値が変更されなかった旨の通知を表示部７を介して行う（ステップＳ１０６）。
【００７１】
このような構成を有することから、本発明の複合機１００は、上述したように、サービスマンによる部品交換が行われる際、適確な情報入力が行われない問題を解決できる。
【００７２】
すなわち、本発明の複合機１００においては、サービスマンによる交換可能部材（部品）の交換が行われる際、サービスマンによって斯かる入力情報の入力が行われるものでなく、該入力情報が当該記録媒体から読み取られる。
【００７３】
従って、入力情報の入力が難しい場合であっても、サービスマンの熟練度に関わることなく、的確な入力情報の入力が可能であり、かつ、サービスマンの作業負担を軽減することができる。また、前記入力情報が記載された紙媒体が不要となり、資源保護を図ることもできる。
【００７４】
（実施の形態２）
本発明の実施の形態２に係る複合機１００において、交換可能部材に付随する記録媒体には、該交換可能部材と、該交換可能部材が取り付けられる相手装置との適合性を表す適合情報が記録されている。例えば、交換可能部材には該交換可能部材が使用され得る相手装置の機種、製造メーカー、ロットナンバー等が記録されている。
【００７５】
一方、複合機１００の記録部８には、自機の電気機器部材として使用し得るものの規格、製造メーカー、ロットナンバー等（以下、使用可能部品情報という。）が各交換可能部材毎に記録されている。
【００７６】
図５は本発明の実施の形態２に係る複合機１００において、交換可能部材の交換の際に行われる入力情報の取得を説明するフローチャートである。説明の便宜上、前記ラベルが付随している定着ユニット４１をサービスマンが交換する場合を例として説明する。
【００７７】
サービスマンが定着ユニット４１の交換を行った場合、ＣＰＵ１０１は前記着脱センサの検知結果に基づいて定着ユニット４１が交換されたことを検知する（ステップＳ２０１）。
【００７８】
サービスマンが画像読取部２の原稿台１１１に前記記録媒体を載置しておき、操作パネル６を適宜操作して、該記録媒体の読み取りを指示する。ＣＰＵ１０１は操作パネル６を介して斯かる指示を受け付け、画像読取部２は前記記録媒体から入力情報及び前記適合情報を読み取る（ステップＳ２０２）。
【００７９】
この際、判定部１０４は、当該記録媒体に含まれた前記適合情報に基づいて、該交換可能部材と、複合機１００とが適合するか否かの判定を行う（ステップＳ２０３）。斯かる判定は、判定部１０４が前記記録媒体の適合情報と、記憶部８に記憶されている前記使用可能部品情報とを比較することにより行われる。
【００８０】
判定部１０４によって、当該交換可能部材と、複合機１００とが適合しないと判定された場合（ステップＳ２０３：ＮＯ）、ＣＰＵ１０１はその旨を通知するよう表示部７に指示する。ＣＰＵ１０１の指示に応じて表示部７は当該交換可能部材と、複合機１００とが適合しない旨の表示を行ない、斯かる通知が行われる（ステップＳ２０８）。以降、処理は終了する。
【００８１】
一方、判定部１０４によって、当該交換可能部材と、複合機１００とが適合すると判定された場合（ステップＳ２０３：ＹＥＳ）、ＣＰＵ１０１は、読み取られた入力情報の表示を表示部７に指示する。ＣＰＵ１０１の指示に応じて、表示部７はステップＳ２０２にて読み取られた入力情報を表示する（ステップＳ２０４）。また、この際、表示部７は当該交換可能部材と、複合機１００とが適合する旨を表示するように構成しても良い。
【００８２】
以降、ステップＳ２０５〜ステップＳ２０７の処理は、実施の形態１の図４のステップＳ１０４〜ステップＳ１０６の処理と同じであり、詳しい説明を省略する。
【００８３】
このような構成を有することから、本発明の複合機１００は、サービスマンによる交換可能部材（部品）の交換が行われる際、サービスマンによって斯かる入力情報の入力が行われるものでなく、該入力情報が当該記録媒体から読み取られる。
【００８４】
従って、入力情報の入力が難しい場合であっても、サービスマンの熟練度に関わることなく、的確な入力情報の入力が可能であり、かつ、サービスマンの作業負担を軽減することができる。
【００８５】
（実施の形態３）
複合機は使用場所（例えば、国）によって、電源（電圧）、紙質、湿度、温度等の使用環境が異なるので、使用環境に応じて、細かい設定を行う必要がある。本発明の実施の形態３に係る複合機１００の記録部８には、使用環境及び設定状況を表す使用環境情報が記憶されている。
【００８６】
また、本発明の実施の形態３に係る複合機１００においては、前記交換可能部材に付随する記録媒体に、相手装置の使用環境に対応して複数の入力情報の候補が記録されている。
【００８７】
従って、サービスマンによる交換可能部材の交換が行われる際、当該相手装置は当該記録媒体から前記複数の入力情報の候補が読み取られ、自機の使用環境に適した入力情報に沿って設定値を変更する。
【００８８】
一方、入力情報の候補が多すぎる等の理由により、当該記録媒体に記録すべき情報が全て記録しきれない場合が想定できる。本発明の実施の形態３に係る複合機１００はこのような場合も対応できるように構成されている。以下、詳しく説明する。
【００８９】
図６は本発明の実施の形態３に係る複合機１００において、交換可能部材の交換の際に行われる入力情報の取得を説明するフローチャートである。説明の便宜上、前記ラベルが付随している定着ユニット４１をサービスマンが交換する場合を例として説明する。
【００９０】
本発明の実施の形態３に係る複合機１００においては、前記交換可能部材（定着ユニット４１）に付随する記録媒体に、相手装置の使用環境に応じた入力情報の候補が記録されているウェブサーバー上のＵＲＬが記録されている。
【００９１】
サービスマンが定着ユニット４１の交換を行った場合、ＣＰＵ１０１は前記着脱センサの検知結果に基づいて定着ユニット４１が交換されたことを検知する（ステップＳ３０１）。
【００９２】
サービスマンが画像読取部２の原稿台１１１に前記記録媒体を載置しておき、操作パネル６を適宜操作して、該記録媒体の読み取りを指示する。ＣＰＵ１０１は操作パネル６を介して斯かる指示を受け付け、画像読取部２は前記記録媒体から前記ＵＲＬの情報を読み取る（ステップＳ３０２）。
【００９３】
前記ＵＲＬを用いて、情報取得部１０５は送受信部５を介してウェブサーバーもアクセスし（ステップＳ３０３）、当該交換可能部材に係る入力情報を取得する。より詳しくは、情報取得部１０５は、記録部８の使用環境情報に基づいて、当該交換可能部材に係る入力情報の候補のうち、自機の使用環境に適した入力情報を選択し、選択された入力情報をダウンロードする。
【００９４】
次いで、ＣＰＵ１０１は自機の使用環境に適した入力情報の取得が出来たか否かの判定する（ステップＳ３０４）。
【００９５】
例えば、アクセスに失敗し、又は、自機の使用環境に適した入力情報がない等の理由により、入力情報のダウンロードが出来なかった場合、ＣＰＵ１０１は入力情報の取得が出来なかったと判定し（ステップＳ３０４：ＮＯ）、その旨を通知するよう表示部７に指示する。ＣＰＵ１０１の指示に応じて表示部７は入力情報の取得が出来なかった旨の表示を行ない、斯かる通知が行われる（ステップＳ３０９）。以降、処理は終了する。
【００９６】
一方、情報取得部１０５により入力情報がダウンロードされた場合、ＣＰＵ１０１は入力情報の取得が出来たと判定し（ステップＳ３０４：ＹＥＳ）、ＣＰＵ１０１は、取得された入力情報の表示を表示部７に指示する。ＣＰＵ１０１の指示に応じて、表示部７は情報取得部１０５によりダウンロードされた入力情報を表示する（ステップＳ３０５）。
【００９７】
以降、ステップＳ３０６〜ステップＳ３０８の処理は、実施の形態１の図４のステップＳ１０４〜ステップＳ１０６の処理と同じであり、詳しい説明を省略する。
【００９８】
このような構成を有することから、本発明の複合機１００は、サービスマンによる交換可能部材（部品）の交換が行われる際、サービスマンの熟練度に関わることなく、的確な入力情報の入力が可能であり、かつ、サービスマンの作業負担を軽減することができる。
【００９９】
なお、上述した判定部１０４及び情報取得部１０５は、ハードウェアロジックによって構成してもよいし、ＣＰＵ１０１が所定のプログラムを実行することにより、ソフトウェア的に構築されてもよい。
【０１００】
以上の記載においては、電気機器の例として複合機を挙げて説明したが、本発明はこれに限るものでなく、交換の際、前記入力情報の入力が必要である交換可能部材を備える全ての電気機器に適用可能であることは言うまでもない。
【０１０１】
また、以上においては、交換可能部材を交換する場合を例として説明したが、本発明はこれに限るものでなく、交換可能部材に係る設定値の変更の際にも適用可能であることは言うまでもない。
【０１０２】
本発明の実施態様１においては、電気機器１００を構成し、その交換の際、該電気機器１００への所定の情報の入力が行われる電気機器部材４１において、前記情報が記録された記録媒体が付随していることを特徴とする。
【０１０３】
本発明によれば、前記情報が記録された記録媒体を前記交換可能部材に付随させることにより、例えば、前記交換可能部材の交換の際、該記録媒体に記録された情報を用いた情報の入力が行われる。
【０１０４】
本発明の実施態様２においては、前記記録媒体には、前記電気機器１００との適合性に係る適合情報が記録されていることを特徴とする。
【０１０５】
本発明によれば、例えば、前記交換可能部材の交換の際、該記録媒体に記録された整合情報を用いて、当該交換可能部材と当該電気機器との整合性が判断できる。
【０１０６】
本発明の実施態様３においては、前記記録媒体には、前記情報が記憶されたウェブサーバー上のＵＲＬが記録されていることを特徴とする。
【０１０７】
本発明によれば、例えば、前記交換可能部材の交換の際、該記録媒体に記録されたＵＲＬを用いて、ウェブサーバーから前記情報を取得することができる。
【０１０８】
本発明の実施態様４においては、前記記録媒体には、前記電気機器１００の使用環境に対応して複数情報が記録されていることを特徴とする。
【０１０９】
本発明によれば、例えば、前記交換可能部材の交換の際、該記録媒体に記録された複数情報のうち、前記電気機器の使用環境に対応した情報を取得する。
【０１１０】
本発明の実施態様５においては、前記情報は、１次元バーコード又は２次元コードにて表示されていることを特徴とする。
【０１１１】
本発明によれば、前記記録媒体には、前記情報が１次元バーコード又は２次元コードにて表示されている。
【０１１２】
本発明の実施態様６においては、自機器を構成する電気機器部材４１を交換する際、所定の情報の入力を受け付ける電気機器１００において、前記情報が記録された記録媒体が前記電気機器部材４１に付随しており、該電気機器部材４１の交換の際、前記記録媒体から前記情報を取得する取得部２を備えることを特徴とする。
【０１１３】
本発明によれば、前記情報が記録された記録媒体を前記交換可能部材に付随させることにより、例えば、前記交換可能部材の交換の際、前記取得部が前記記録媒体から前記情報を取得し、取得された情報を用いた情報の入力が行われる。
【０１１４】
本発明の実施態様７においては、前記記録媒体には、前記電気機器部材４１と自機器との適合性に係る適合情報が記録されており、前記電気機器部材４１の交換の際、前記適合情報に基づいて適合の判定を行う判定手段１０４と、前記判定の結果を表示する表示部７とを備えることを特徴とする。
【０１１５】
本発明によれば、例えば、前記交換可能部材の交換の際、前記記録媒体に記録された整合情報を用いて、前記判定手段が当該交換可能部材と当該電気機器との整合性を判断し、前記表示部は斯かる判定の結果を表示する。
【０１１６】
本発明の実施態様８においては、前記記録媒体には、前記情報が記憶されたウェブサーバー上のＵＲＬが記録されており、前記ＵＲＬに基づいて前記情報を取得する情報取得手段１０５を備えることを特徴とする。
【０１１７】
本発明によれば、例えば、前記交換可能部材の交換の際、前記記録媒体に記録されたＵＲＬを用いて、前記情報取得手段がウェブサーバーにアクセスし、当該情報をダウンロードする。
【０１１８】
本発明の実施態様９においては、前述の実施態様の何れか一つに記載の電気機器部材４１と、該電気機器部材４１に付随する記録媒体から前記情報を取得する取得部２を有する電気機器１００とを備えることを特徴とする。
【０１１９】
本発明によれば、例えば、前記交換可能部材の交換の際、前記電気機器は該電気機器部材に付随する記録媒体から前記情報を取得する。
【符号の説明】
【０１２０】
２  画像読取部（取得部）
７  表示部
４１  定着ユニット（電気機器部材）
１００  複合機（電気機器）
１０１  ＣＰＵ
１０４  判定部（判定手段）
１０５  情報取得部（情報取得手段）
【図１】
2016090669.tif 000003
【図２】
2016090669.tif 000004
【図３】
2016090669.tif 000005
【図４】
2016090669.tif 000006
【図５】
2016090669.tif 000007
【図６】
2016090669.tif 000008